(57)【要約】【課題】指定又は規定された時間においてサンプルを取得可能であると共に、小さなジッタと高いタイミング精度を提供可能な時間基準システムの提供【解決手段】時間基準システムであって、印加信号に対する第１のタイミング関係を具備する受信信号に応答して第１信号を供給する信号調整器と、制御信号に従って前記第１信号の位相を調節し、第２信号を供給する直交位相シフタと、前記第２信号を受信し、前記第２信号のサイクルのカウント数に基づいて、ストローブを生成するカウンタであって、前記ストローブが、前記第２信号のサイクルの前記カウント数に基づいた前記印加信号に対する第２のタイミング関係を具備しているカウンタと、を有する。【選択図】図１
2006292741.tif 000002
【特許請求の範囲】
【請求項１】
印加信号に対する第１のタイミング関係を具備する受信信号に応答して第１信号を供給する信号調整器と、
制御信号に従って前記第１信号の位相を調節し、第２信号を供給する直交位相シフタと、
前記第２信号を受信し、前記第２信号のサイクルのカウント数に基づいて、ストローブを生成するカウンタであって、前記ストローブが、前記第２信号のサイクルの前記カウント数に基づいた前記印加信号に対する第２のタイミング関係を具備している、カウンタと、
を有することを特徴とするシステム。
【請求項２】
前記印加信号を受信し、前記ストローブに従って、前記印加信号のサンプルの組を取得するサンプラを更に有することを特徴とする請求項１記載のシステム。
【請求項３】
前記受信信号が、前記印加信号と関連するクロックであることを特徴とする請求項１記載のシステム。
【請求項４】
前記信号調整器が、前記第１信号が正弦波になるように、前記受信信号の正弦波信号成分を選択するフィルタを含んでいることを特徴とする請求項３記載のシステム。
【請求項５】
前記印加信号が、前記受信信号を供給するべく前記信号調整器に接続されていることを特徴とする請求項１記載のシステム。
【請求項６】
前記信号調整器が、前記第１信号を供給するクロック回復ユニットを含んでおり、前記第１信号が正弦波であることを特徴とする請求項５記載のシステム。
【請求項７】
前記受信信号と前記印加信号が、共通のクロックから導出されていることを特徴とする請求項１記載のシステム。
【請求項８】
前記信号調整器が、前記受信信号を受信する入力と前記直交位相シフタに接続される出力の間の信号経路内に、フィルタ、クロック回復ユニット、及びスルー経路の中の１つを含むべく構成されていることを特徴とする請求項１または請求項２に記載のシステム。
【請求項９】
前記カウンタが、最終カウントが発生した際に前記ストローブを生成することを特徴とする請求項１または請求項２に記載のシステム。
【請求項１０】
印加信号に対する第１のタイミング関係を具備する受信信号に応答して第１信号を供給する段階と、
制御信号に従って前記第１信号の位相を調節し、第２信号を供給するステップと、
前記第２信号を受信し、前記第２信号のサイクルのカウント数に基づいて、ストローブを生成するステップであって、前記ストローブが、前記第２信号のサイクルの前記カウント数に基づいた前記印加信号に対する第２のタイミング関係を具備している、ステップと、
を有することを特徴とするシステム。
【請求項１１】
前記印加信号を受信し、前記ストローブに従って、前記印加信号のサンプルの組を取得するステップを更に有することを特徴とする請求項１０記載のシステム。
【請求項１２】
前記受信信号が、前記印加信号と関連するクロックであることを特徴とする請求項１０記載のシステム。
【請求項１３】
前記第１信号を供給するステップが、前記第１信号が正弦波になるように、前記受信信号の正弦波信号成分を選択するステップを含んでいることを特徴とする請求項１０記載のシステム。
【請求項１４】
前記印加信号が、前記受信信号を供給することを特徴とする請求項１０記載のシステム。
【請求項１５】
クロック回復ユニットが前記第１信号を供給し、前記第１信号が正弦波であることを特徴とする請求項１０記載のシステム。
【請求項１６】
前記受信信号と前記印加信号が、共通のクロックから導出されていることを特徴とする請求項１０記載のシステム。
【請求項１７】
カウンタが、最終カウントが発生した際に前記ストローブを生成することを特徴とする請求項１０または請求項１１に記載のシステム。
【発明の詳細な説明】
【背景技術】
【０００１】
時間基準は、サンプリングオシロスコープやその他の測定システムにおけるサンプル取得タイミングを設定する。市販されているサンプリングオシロスコープの時間基準は、通常、トリガ及び遅延回路を使用し、サンプリングオシロスコープによるサンプル取得タイミングを制御している。例えば、特許文献１に開示されている時間基準は、トリガイベントに対する指定の遅延においてサンプル取得を提供しており、遅延の精度を設定する微細遅延生成器を有している。しかしながら、微細遅延生成器の雑音と過渡応答のために、時間基準を使用して取得したサンプルから再構築される波形内にタイミングジッタとタイミング誤差が生じることになる。例えば、このタイプの時間基準の場合には、１ピコ秒のジッタと１ピコ秒を上回るタイミング誤差が一般的である。又、微細遅延生成器の過渡応答は、このタイプの従来技術による時間基準を使用して実現可能なサンプル取得レートを制限する時間基準の回復時間と整定時間を結果的にもたらすことにもなる。
【０００２】
特許文献２には、Ｊｕｎｇｅｒｍａｎ他によって別の従来技術による時間基準が開示されている。この時間基準においては、サンプルのペアが、基準正弦波又は印加される測定信号と同期していない発振器に従って基準正弦波の直交サンプルを取得している。印加測定信号の波形を再構築するべく、時間基準は、取得した直交サンプルの振幅をタイミング情報に対してマッピングする。サンプリングオシロスコープ内において使用した場合には、この時間基準が小さなジッタと高いタイミング精度を具備する再構築された波形を提供している際の印加測定信号のサンプル取得タイミングは、発振器と適用されている測定システム間における同期の欠如に起因し、ランダムである。従って、この従来技術による時間基準をサンプリングオシロスコープに含んでいる場合には、印加測定信号のサンプルを指定又は規定されている時間において取得することができない。又、このサンプル取得のランダムなタイミングの結果として、狭い時間を具備するサンプリングウィンドウを伴う測定アプリケーションのサンプリングが非効率的なものになる。
【０００３】
【特許文献１】米国特許第５，５９５，４７９号明細書
【特許文献２】米国特許第６，５６４，１６０Ｂ２号明細書
【発明の開示】
【発明が解決しようとする課題】
【０００４】
このような従来技術による時間基準の欠点に鑑み、指定又は規定された時間においてサンプルを取得可能であると共に、小さなジッタと高いタイミング精度を提供可能な時間基準システムに対するニーズが存在している。
【発明を実施するための最良の形態】
【０００５】
図１は、本発明の実施例による時間基準システム１０のブロックダイアグラムである。時間基準システム１０は、信号調整器２０、直交位相シフタ３０、プリスケーラ４０、及びカウンタ５０を含んでいる。時間基準システム１０の代表的なアプリケーションにおいては、時間基準システム１０は、サンプリングシステム６０と共に使用され、図示のように、カウンタ５０がサンプラ６２に接続されている。図１においては、時間基準システム１０が、高周波数を具備する信号に対応できるように、直交位相シフタ３０とカウンタ５０の間に、プリスケーラ４０が介在している。
【０００６】
時間基準システム１０の一例においては、信号調整器２０は、３つの選択的信号経路への接続を提供するスイッチＳＷ１、ＳＷ２を含んでいる。信号経路の１つは、スルーライン２２を含んでおり、信号経路の１つは、フィルタ２４を含んでおり、信号経路の１つは、クロック回復ユニット２６を含んでいる。これらの信号経路は、通常、時間基準システム１０に印加する信号１１のタイプに基づいて、スイッチＳＷ１、ＳＷ２を介して選択可能である。代替例においては、信号調整器２０は、非切換構成において、スルー経路２２、フィルタ２４、又はクロック回復ユニット２６を含んでいる。又、信号調整器２０は、切換構成において、スルー経路２２、フィルタ２４、及びクロック回復ユニット２６のその他の組み合わせを含むことも可能である。或いは、この代わりに、信号調整器２０は、時間基準システム１０に供給される信号１１の属性に対応するべく、その他のタイプのコンポーネント、要素、又はシステムを含んでいる。
【０００７】
時間基準システム１０の代表的なアプリケーションにおいては、信号１１は、サンプリングシステム６０に印加される信号１３に対して設定されたタイミング関係を具備している。例えば、信号１３がデータ信号であり、信号１１がデータ信号１３のクロックである場合には、信号１１は、信号１３と同期している。時間基準システム１０に印加される信号１１が、サンプリングシステム６０に印加される信号１３でもある場合には（即ち、同一の信号が時間基準システム１０とサンプリングシステム６０に印加されている場合には）、信号１１と信号１３は、サンプリングシステム６０と時間基準システム１０の間の経路差に起因するタイミングオフセット内の同一のタイミングを具備している。時間基準システム１０に印加される信号１１とサンプリングシステム６０に印加される信号１３が、異なるデータレートの２つのデータ信号であり、これらが共通クロックから導出されている場合には、信号１１と信号１３は、共通クロックを介して設定されたタイミング関係を具備している。時間基準システム１０の代表的なアプリケーションにおいては、クロックは、データ信号に対して、基本周波数関係、高調波周波数関係、低調波周波数関係、又はその他の相関周波数関係を具備している。提示されている例は、タイミング関係を設定していると共に時間基準システム１０とサンプリングシステム６０に対して印加するのに適した多数のタイプの信号１１、１３の中のいくつかのものを示している。
【０００８】
図１に示されている信号調整器２０の例においては、信号１１が正弦波である（例えば、正弦波クロックである）場合には、スイッチＳＷ１、ＳＷ２は、通常、スルーライン２２を含む信号経路を選択する位置に設定される。この結果、正弦波である調整済みの信号１５が直交位相シフタ３０に供給されることになる。信号１１が、複数の周波数成分を具備するクロック又はその他のタイミング信号である場合には、スイッチＳＷ１、ＳＷ２は、通常、フィルタ２４を含む信号経路を選択する位置に設定される。フィルタ２４は、通常、直交位相シフタ３０に供給される調節済みの信号１５が正弦波となるように、信号１１の正弦波成分を抽出する単一のフィルタ又は選択可能なフィルタのバンクである。信号１１が、データ信号である場合には、スイッチＳＷ１、ＳＷ２は、通常、クロック回復ユニット２６を含む信号経路を選択する位置に設定される。クロック回復ユニット２６は、データ信号からクロックを抽出し、クロックをフィルタリングして、正弦波である調整済みの信号１５を直交位相シフタ３０に供給する。信号１１、１３の属性に基づいて、或いは、時間基準システム１０の使用法又はアプリケーションに基づいて、これ以外の信号調整器２０内の信号経路の選択法も実行可能である。
【０００９】
信号調整器２０の一例においては、クロック回復ユニット２６は、１つのフィルタ或いは１つ又は複数の選択可能なフィルタ（図示されてはいない）と縦続接続されたＡＧＩＬＥＮＴ  ＴＥＣＨＮＯＬＯＧＩＥＳ，  ＩＮＣ．社の８３４９６Ａ型Ｃｌｏｃｋ  Ｒｅｃｏｖｅｒｙ  Ｍｏｄｕｌｅを含んでいる。代替例においては、クロック回復ユニット２６は、時間基準システム１０に印加される信号１１からクロックを回復するのに適したＰＬＬ（Ｐｈａｓｅ−Ｌｏｃｋｅｄ  Ｌｏｏｐ）を含んでいる。ＰＬＬのループ帯域幅は、ＩＥＥＥ８０２．３やＩＮＣＩＴＳ  ＭＪＳＱ規格などの通信信号規格に従って、或いは、その他の規格又は指定の基準に従って、規定することができる。一例においては、ＰＬＬは、時間基準システム１０に印加される信号１１に対して高調波周波数関係、低調波周波数関係、又はその他の相関周波数関係を有する周波数成分を具備するクロックをクロック回復ユニット２６が回復できるように構成されている。回復されたクロックの指定の周波数成分を抽出し、正弦波である調整済みの信号１５を直交位相シフタ３０に提供するべく、１つのフィルタ又は１つ又は複数の選択可能なフィルタを構成可能である。
【００１０】
図２は、時間基準システム１０に内蔵するのに適した直交位相シフタ３０のブロックダイアグラムを示している。直交位相シフタ３０は、（図１に示されている）信号調整器２０が供給する正弦波信号又はその他の適切に調整された信号１５を受信し、制御信号１７に従って、調整済みの信号の位相をシフトさせることにより、信号２１を供給する。図２に示されている例においては、制御信号１７は、位相ＤＡＣ（Ｄｉｇｉｔａｌ−ｔｏ−Ａｎａｌｏｇ  Ｃｏｎｖｅｒｔｅｒ）３２ａによって供給されるＩ信号（同相信号）１９ａと、位相ＤＡＣ３２ｂによって供給されるＱ信号（直交位相信号）１９ｂを含んでいる。直交位相シフタ３０は、通常、直交カプラ３４、直交カプラ３４の同相結合経路内の同相変調器ＩMOD、及び直交カプラ３４の直交結合経路内の直交位相変調器ＱMODを含んでいる。Ｉ信号１９ａとＱ信号１９ｂは、それぞれ、変調器ＩMOD、ＱMODに印加されている。この結果得られる変調器ＩMOD、ＱMODから供給される変調済みの信号が、出力加算器３６又は直交位相シフタ３０内に含まれているその他の信号コンバイナを介してベクトル加算される。対応する位相ＤＡＣ３２ａ及び位相ＤＡＣ３２ｂを介し、Ｉ信号１９ａとＱ信号１９ｂの変化する１つ又は両方により、直交位相シフタ３０から供給される信号２１内に、対応する位相シフトが生成される。Ｉ信号１９ａ及びＱ信号１９ｂの少なくとも一方に対する静的な調節、段階的な調節、正弦曲線的調節、又はその他の時変調節により、信号２１に対する様々なタイプの位相変調が提供される。
【００１１】
一実施例においては、Ｉ信号１９ａ及びＱ信号１９ｂは、段階的制御信号１７を変調器ＩMOD、ＱMODに対して供給している。段階的制御信号１７の結果、図３Ａの信号２１の波形例に示されているように、信号２１に対して、対応する位相シフトΔφがもたらされる。例示を目的として、位相シフトΔφは、信号２１の１つのサイクル内において即座に発生するものとして示されている。しかしながら、それぞれ、Ｉ信号１９ａとＱ信号１９ｂを供給する位相ＤＡＣ３２ａ、３２ｂの有限な応答時間に起因し、結果的に得られる位相シフトΔφは、通常、信号２１の１つのサイクルを上回る時間を具備する位相遷移（図示されてはいない）の後に発生する。
【００１２】
Ｉ信号１９ａとＱ信号１９ｂは、変調器ＩMOD、ＱMODに対して時変制御信号１７を提供することも可能である。一例においては、位相ＤＡＣ３２ａ、３２ｂは、等しい周波数ｆを具備する正弦波Ｉ信号１９ａと余弦波Ｑ信号１９ｂを供給する。この時変制御信号１７により、信号２１は、調整済みの信号１５に対して、周波数ｆに等しい周波数シフトを具備することになる。図３Ｂは、正弦波Ｉ信号１９ａと余弦波Ｑ信号１９ｂの周波数ｆに従って周波数がシフトした信号２１の波形の一例を示している。例示を目的として、信号２１の周波数シフトは、調整済みの信号１５の１つのサイクル内において即座に発生するものとして示されている。しかしながら、位相ＤＡＣ３２ａ、３２ｂの有限な応答時間に起因し、結果的に得られる信号２１内の周波数シフトは、通常、調整済みの信号１５の１つのサイクルを上回る時間を具備する調整済みの信号１５の位相遷移（図示されていない）の後に発生する。
【００１３】
図１に示されているように、カウンタ５０は、直交位相シフタ３０から信号２１を受信する。信号２１の周波数が、カウンタ５０が対応可能な周波数レンジを上回っている場合には、周波数分割器、即ち、プリスケーラ４０を直交位相シフタ３０とカウンタ５０の間に挿入可能である。プリスケーラ４０は、信号２１の周波数を分割することにより、カウンタ５０の周波数レンジ内の周波数分割済みの信号をカウンタ５０に供給する。信号２１の周波数がカウンタ５０の周波数レンジ内にある場合には、時間基準システム１０からプリスケーラ４０を省略可能である。
【００１４】
カウンタ５０は、信号２１の指定数のサイクルをカウントし、信号２１のサイクルのカウント数に基づいたストローブ２５を生成する。ストローブ２５は、通常、カウンタ５０の最終カウントが発生した際に供給される。ＳＥＭＩＣＯＮＤＵＣＴＯＲ  ＣＯＭＰＯＮＥＮＴＳ  ＩＮＤＵＳＴＲＩＥＳ，  ＬＬＣ．社が販売しているＭＣ１０Ｅ０１６型のＯＮＳＥＭＩＣＯＮＤＵＣＴＯＲなどのプログラム可能なカウンタによれば、通常、「カウンタ５０の開始カウント」＝「カウンタ５０の最終カウント」−「カウント対象の指定サイクル数」となるようにプログラムすることにより、信号２１のサイクルのカウント数を調節可能である。カウンタ５０を調節することにより、相応して、生成されるストローブ２５間に発生する信号２１のサイクル数が変化する。
【００１５】
カウンタ５０を調節することにより、ストローブ２５間の時間インターバルを信号２１の１つのサイクルの持続期間に等しい時間増分によって変化させることができる。直交位相シフタ３０を調節することにより、相応して調節可能な時間増分によってストローブ２５間の時間インターバルを変化させることができる。直交位相シフタ３０の位相シフト調節レンジは、広い調節レンジにわたる位相シフトに対応すべく十分なものになっており、ストローブ２５のタイミングに対する広いレンジの調節を提供している。
【００１６】
時間基準システム１０のアプリケーションの一例においては、ストローブ２５は、（図１に示されている）サンプリングシステム６０のサンプラ６２に供給されており、ストローブ２５が、サンプラ６２によるサンプル取得タイミングを指定している。通常、直交位相シフタ３０及びカウンタ５０の少なくとも一方は、サンプラ６２によるサンプル取得タイミングを調節するべく、サンプル取得間において調節又はプログラムされる。直交位相シフタ３０とカウンタ５０により、サンプリングシステム６０による信号１３のサンプル取得タイミングを規定、制御、或いは、その他の方法で指定可能である。
【００１７】
直交位相シフタ３０が、図３Ａの波形例に示されているように、位相シフトした信号２１内に位相シフトΔφを誘発する場合には、ストローブ２５は、位相シフトΔφを調整済みの信号１５の周波数によって除算したものに等しい時間Δｔだけ、サンプリングシステム６０によるサンプル取得タイミングを変更する。直交位相シフタ３０が、図３Ｂの波形例に示されているように、正弦波Ｉ信号１９ａと余弦波Ｑ信号１９ｂに従ってストローブ２５の位相をシフトさせると、結果的に得られる信号２１は、調整済みの信号１５から周波数オフセットされる。この周波数オフセットに起因し、サンプル６２に印加される結果的に得られるストローブ２５により、サンプリングシステム６０による信号１３のサンプル取得タイミングに摂動又は進行性の変化が生じる。
【００１８】
図４は、サンプリングシステム６０に印加される信号１３のサンプル取得を提供するべく、サンプリングシステム６０と共に構成された時間基準システム１０のタイミング図の一例を示している。図４においては、信号１３は、取得されたサンプルＳ1、Ｓ2．．．ＳNから、再構築済みの信号２３として再構築されるものとして示されている。再構築された信号２３内の取得されたサンプルＳ1、Ｓ2．．．ＳNは、ストローブ２５に従ってタイミング設定されており、このストローブは、信号１３に対して、信号２１のサイクルのカウント数に基づいたタイミング関係を具備している。図４に示されているタイミング図の例においては、Ｉ信号１９ａとＱ信号１９ｂは、信号２１に対して一連の位相シフトΔφ1、Δφ2．．．ΔφNを引き起こす一連の段階的な制御信号を直交位相シフタ３０に供給している。信号２１のサイクルをカウンタ３０によってカウントすると、結果的に得られるストローブ２５のタイミングは、時間インターバルΔｔ1、Δｔ2．．．Δｔ3だけ、位相シフトΔφ1、Δφ2．．．ΔφNに従って変化する。この直交位相シフタ３０によって供給される位相シフトΔφ1、Δφ2．．．ΔφNに起因するストローブ２５のタイミングの変化により、サンプルは、信号１３の後続のサイクル内において、異なる位置において取得されることになる。この結果、再構築された信号２３内の取得されたサンプルＳ1、Ｓ2．．．ＳNのタイミングの適切な分布が提供される。
【００１９】
時間基準システム１０は、調整済みの信号１５のサイクルのカウント数に基づいてストローブ２５を生成しているため、時間基準システム１０をサンプリングシステム６０と共に使用し、直交位相シフタ３０によって位相シフトして位相シフト済みの信号２１を供給した場合、ストローブ２５、信号１１、及び信号１３の間のタイミング関係は、時間基準システム１０によって維持される。
【００２０】
図５は、サンプリングシステム６０と共に時間基準システム１０を使用して取得したサンプルのタイミング誤差のプロット２７を示している。プロット２７は、時間基準システム１０によって取得されるサンプルのタイミング精度が、約０．４ピコ秒のタイミング誤差内にあることを示している。又、図５には、従来技術による時間基準を使用して取得したサンプルのタイミング誤差のプロットＰＡ１も示されている。従来技術による時間基準は、１．５ピコ秒を上回るタイミング誤差のサージを結果的にもたらす過渡応答を具備しており、この結果、従来技術による時間基準のタイミング精度は低下する。
【００２１】
図６Ａは、従来技術による時間基準を使用して取得したサンプルから再構築された信号ＰＡ２のジッタを示している。図６Ｂは、図１に示されている時間基準システム１０を使用して取得したサンプルから再構築された信号２３を示している。プロットＰＡ２、２７の比較は、サンプリングシステム６０と共に構成された場合に、時間基準システム１０が、従来技術による時間基準よりも小さなジッタを提供することを示している。
【００２２】
以上、本発明の実施例について詳細に説明したが、当業者には、添付の請求項に規定されている本発明の範囲を逸脱することなしに、これらの実施例に対する変更及び適合が想起可能であることは明らかである。最後に、本発明の実施の態様を要約して列挙する。
【００２３】
（実施態様１）
印加信号に対する第１のタイミング関係を具備する受信信号に応答して第１信号を供給する信号調整器と、
制御信号に従って前記第１信号の位相を調節し、第２信号を供給する直交位相シフタと、
前記第２信号を受信し、前記第２信号のサイクルのカウント数に基づいて、ストローブを生成するカウンタであって、前記ストローブが、前記第２信号のサイクルの前記カウント数に基づいた前記印加信号に対する第２のタイミング関係を具備している、カウンタと、
を有することを特徴とするシステム。
【００２４】
（実施態様２）
前記印加信号を受信し、前記ストローブに従って、前記印加信号のサンプルの組を取得するサンプラを更に有する実施態様１記載のシステム。
【００２５】
（実施態様３）
前記受信信号が、前記印加信号と関連するクロックである実施態様１記載のシステム。
【００２６】
（実施態様４）
前記信号調整器が、前記第１信号が正弦波になるように、前記受信信号の正弦波信号成分を選択するフィルタを含んでいる実施態様３記載のシステム。
【００２７】
（実施態様５）
前記印加信号が、前記受信信号を供給するべく前記信号調整器に接続されている実施態様１記載のシステム。
【００２８】
（実施態様６）
前記信号調整器が、前記第１信号を供給するクロック回復ユニットを含んでおり、前記第１信号が正弦波である実施態様５記載のシステム。
（実施態様７）
前記受信信号と前記印加信号が、共通のクロックから導出されている実施態様１記載のシステム。
【００２９】
（実施態様８）
前記信号調整器が、前記受信信号を受信する入力と前記直交位相シフタに接続される出力の間の信号経路内に、フィルタ、クロック回復ユニット、及びスルー経路の中の１つを含むべく構成されている実施態様１記載のシステム。
【００３０】
（実施態様９）
前記信号調整器が、前記受信信号を受信する入力と前記直交位相シフタに接続された出力の間の信号経路内に、フィルタ、クロック回復ユニット、及びスルー経路の中の１つを含むべく構成されている実施態様２記載のシステム。
【００３１】
（実施態様１０）
前記カウンタが、最終カウントが発生した際に前記ストローブを生成する実施態様１記載のシステム。
【００３２】
（実施態様１１）
前記カウンタが、最終カウントが発生した際に前記ストローブを生成する実施態様２記載のシステム。
【００３３】
（実施態様１２）
印加信号に対する第１のタイミング関係を具備する受信信号に応答して第１信号を供給する段階と、
制御信号に従って前記第１信号の位相を調節し、第２信号を供給するステップと、
前記第２信号を受信し、前記第２信号のサイクルのカウント数に基づいて、ストローブを生成するステップであって、前記ストローブが、前記第２信号のサイクルの前記カウント数に基づいた前記印加信号に対する第２のタイミング関係を具備している、ステップと、
を有することを特徴とするシステム。
【００３４】
（実施態様１３）
前記印加信号を受信し、前記ストローブに従って、前記印加信号のサンプルの組を取得するステップを更に有する実施態様１２記載のシステム。
【００３５】
（実施態様１４）
前記受信信号が、前記印加信号と関連するクロックである実施態様１２記載のシステム。
【００３６】
（実施態様１５）
前記第１信号を供給するステップが、前記第１信号が正弦波になるように、前記受信信号の正弦波信号成分を選択するステップを含んでいる実施態様１２記載のシステム。
【００３７】
（実施態様１６）
前記印加信号が、前記受信信号を供給する実施態様１２記載のシステム。
【００３８】
（実施態様１７）
クロック回復ユニットが前記第１信号を供給し、前記第１信号が正弦波である実施態様１２記載のシステム。
【００３９】
（実施態様１８）
前記受信信号と前記印加信号が、共通のクロックから導出されている実施態様１２記載のシステム。
【００４０】
（実施態様１９）
カウンタが、最終カウントが発生した際に前記ストローブを生成する実施態様１２記載のシステム。
【００４１】
（実施態様２０）
カウンタが、最終カウントが発生した際に前記ストローブを生成する実施態様１３記載のシステム。
【図面の簡単な説明】
【００４２】
【図１】本発明の実施例による時間基準システムのブロックダイアグラムを示している。
【図２】図１に示されている時間基準システムに内蔵するのに適した直交位相シフタのブロックダイアグラムを示している。
【図３Ａ】図２に示されている直交位相シフタによって供給される信号の例を示している。
【図３Ｂ】図２に示されている直交位相シフタによって供給される信号の例を示している。
【図４】本発明の実施例による時間基準システムのタイミング図を示している。
【図５】従来技術による時間基準を使用して取得したサンプルと、図１に示されている時間基準システムを使用して取得したサンプルのタイミング誤差の比較を示している。
【図６Ａ】従来技術による時間基準を使用して取得したサンプルと、図１に示されている時間基準システムを使用して取得したサンプルのジッタの比較を示している。
【図６Ｂ】従来技術による時間基準を使用して取得したサンプルと、図１に示されている時間基準システムを使用して取得したサンプルのジッタの比較を示している。
【符号の説明】
【００４３】
２０  信号調整器
２２  スルー経路
２４  フィルタ
２５  ストローブ
２６  クロック回復ユニット
３０  直交位相シフタ
５０  カウンタ
【図１】
2006292741.tif 000003
【図２】
2006292741.tif 000004
【図３Ａ】
2006292741.tif 000005
【図３Ｂ】
2006292741.tif 000006
【図４】
2006292741.tif 000007
【図５】
2006292741.tif 000008
【図６Ａ】
2006292741.tif 000009
【図６Ｂ】
2006292741.tif 000010